(57)【要約】【課題】本発明では、患者がアンダーウエアを着用したままでも、ドレーンの屈曲による閉塞をなくし、腹腔内等に貯留した血液や膿等の体外への排出を円滑に行うことができる患者用アンダーウエアを提供することを目的とする。【解決手段】本発明の患者用アンダーウエアは、着用者の身体にフィットさせる伸縮部材を腰部及び脚開口部に設けた患者用アンダーウエアであって、脇線から正中線に向けて腰幅長さ略１５％の位置に、腰部から脚開口部に向けて設けられたスリットと、前記スリットによって分離された前面部と後面部とのそれぞれに設けられ、分離された前記前面部と前記後面部とを係止可能にするボタン部材とを備えていることを特徴とする。【選択図】図２
2011256500.tif 000002
【特許請求の範囲】
【請求項１】
着用者の身体にフィットさせる伸縮部材を腰部及び脚開口部に設けた患者用アンダーウエアであって、
脇線から正中線に向けて腰幅長さの略１５％の位置に、腰部から脚開口部に向けて設けられたスリットと、
前記スリットによって分離された前面部と後面部とのそれぞれに設けられ、分離された前記前面部と前記後面部とを係止可能にするボタン部材と
を備えた患者用アンダーウエア。
【発明の詳細な説明】
【技術分野】
【０００１】
本発明は、患者用アンダーウエアに関する。
【背景技術】
【０００２】
従来より、着脱が容易にできるように、アンダーウエアの一部が開閉できるものが知られている。図６を参照して、伸縮性のある生地１０１に、ゴム１０２とマジックテープ（登録商標）１０３を設けた局所を包むＴ字帯状の病人用下着が知られている。
【０００３】
また、図７を参照して、トランクス本体２０３の両前身頃２０４Ｂの中央をウエスト部より脚部にかけ切り開き、開口部にボタン２０１と面ファスナー２０２を設けて、止めることが出来るようにした介護用下着の開閉式トランクスが開示されている。
【先行技術文献】
【特許文献】
【０００４】
【特許文献１】特開平０８−１７６９０２号
【特許文献２】特開２０００−１７５０１号
【発明の概要】
【発明が解決しようとする課題】
【０００５】
外科手術に関連して、腹腔等に管状器材（以下、ドレーンと言う）を挿入して、体腔内に貯留した血液や膿等を体外に誘導し排出する処置が行われる場合がある。
【０００６】
上記の処置を受けた場合、従来のアンダーウエアによれば、ドレーンが、着用したアンダーウエアにより圧迫されたり患者が動いた時に屈曲することがある。ドレーンが屈曲により閉塞すると、腹腔内等に貯留した血液や膿等の体外への排出が阻害され患者が合併症を引き起こしたり、創傷治癒が妨げられる問題があった。
【０００７】
また、上記事情を回避するために、ドレーン挿入部において、アンダーウエアを下半身方向へずらしておく必要があり、患者に不快感を与える問題があった。
【０００８】
本発明では、患者がアンダーウエアを着用したままでも、ドレーンの屈曲による閉塞をなくし、腹腔内等に貯留した血液や膿等の体外への排出を円滑に行うことができる患者用アンダーウエアを提供することを目的とする。
【課題を解決するための手段】
【０００９】
上記課題を解決するために、本発明の患者用アンダーウエアは、着用者の身体にフィットさせる伸縮部材を腰部及び脚開口部に設けた患者用アンダーウエアであって、脇線から正中線に向けて腰幅長さの略１５％の位置に、腰部から脚開口部に向けて設けられたスリットと、前記スリットによって分離された前面部と後面部とのそれぞれに設けられ、分離された前記前面部と前記後面部とを係止可能にするボタン部材とを備えていることを特徴とする。
【発明の効果】
【００１０】
本発明によれば、患者がアンダーウエアを着用したままでも、ドレーンの屈曲による閉塞をなくし、腹腔内等に貯留した血液や膿等の体外への排出を円滑に行うことができる。
【図面の簡単な説明】
【００１１】
【図１】本願発明に係る患者用アンダーウエアの展開図である。
【図２】同アンダーウエアの全体正面図である。
【図３】同アンダーウエアのスリットの拡大図である。
【図４】患者の仰臥位腹部におけるドレーン挿入部位を示す図である。
【図５】同アンダーウエアを患者が着用時の、胴体短手方向断面の拡大図である。
【図６】従来例の、病人用下着の展開図である。
【図７】別の従来例の、介護用下着の開閉式トランクスの全体正面図である。
【発明を実施するための形態】
【００１２】
以下に、本願の実施形態を図面を参照しながら説明する。なお、今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【００１３】
図１は、患者用アンダーウエア１の展開図である。図１を参照して、患者用アンダーウエア１を説明する。本発明の患者用アンダーウエア１は、展開された状態では略Ｉ字形状をしており、前面部２、後面部３、股部１２、伸縮部材４、を備える。股部１２は、２重以上の複数の層にして強度を高めてもよい。
【００１４】
前面部２及び後面部３は、患者用アンダーウエア１を着用時の患者の脚を通す脚開口部９（図２参照）を形成するために、股部１２に行くにつれて胴体短手方向の幅が狭窄するように構成されている。
【００１５】
伸縮部材４は、着用者の胴体短手方向に該当する前面部２部分及び後面部３部分と、前面部２及び後面部３が股部１２へ向けて狭窄する部分と、股部１２の腿と接触する部分とに、設けられている。言い換えれば、伸縮部材４は、腰部７及び脚開口部９に設けられている。また、前面部２、後面部３、及び股部１２に使用される生地は、伸縮性のある材料で構成されており、通常のアンダーウエアと同程度の履き心地を有している。これにより、患者用アンダーウエア１が、患者の体型にフィットするように構成されている。
【００１６】
ボタン部材６は、着用時に着用者の胴体長手方向に対応する前面部２及び後面部３に設けられている。
【００１７】
図２は、本発明の患者用アンダーウエア１の全体正面図である。前面部２のボタン部材６（図３参照）と、後面部３のボタン部材６（図３参照）とを係止して、前面部２を上にして展開した状態において、患者胴体短手方向の腰部７の幅を腰幅１１と言うことにし、腰幅１１の中点から、患者胴体長手方向へ伸ばした垂線を正中線１０と言うことにする。
【００１８】
前面部２及び後面部３に設けられたボタン部材６同士の係止により、前面部２及び後面部３の重なる部分にスリット５が形成される。スリット５は、腰部７から脚開口部９に向けて、着用者の胴体方向と略平行に形成されている。
【００１９】
患者は、図２に示された状態の患者用アンダーウエア１を着用する。重篤な患者については、図１のように患者用アンダーウエア１を展開した状態のまま、臥床する患者の腰部に滑り込ませ、前面部２を股から下腹部に誘導した後、前面部２のボタン部材６と、後面部３のボタン部材６とを係止して、患者に着用してもよい。
【００２０】
図３は、スリット５を開放したときの拡大図である。図３を参照して、スリット５及びボタン部材６について説明する。
【００２１】
スリット５の開閉は、前面部２及び後面部３に設けられたそれぞれのボタン部材６同士の係止及び係止解除により行われる。スリット５によって分離された正中線１０側（図２参照）の前面部２が、脇線８側の後面部３に上方から重なり、前面部２及び後面部３がボタン部材６により係止される。
【００２２】
ボタン部材６同士の間に、腹腔等に挿入し体腔内の血液や膿を体外に排出するドレーン１７（図５参照）を通し、固定することができる。ボタン部材６同士の間隔は、ドレーン１７を通すことができ、同時に固定することができる間隔であれば良い。一般的なドレーン１７の外径は０．８ｃｍ〜１．０ｃｍであるので、ボタン部材６同士の間隔は、具体的には２ｃｍ以上６ｃｍ以下であれば好適であり、更には２ｃｍ以上４ｃｍ以下が最適である。
【００２３】
図４を参照して、患者１３の腹腔等にドレーン１７（図５参照）が挿入される位置を説明する。図４は、患者１３の仰臥位における腹部を示す。患者正中線１４から、患者正中線１４―腰部末端１５間隔の２／３の部位には、腹壁動静脈が走行するため、この範囲にはドレーン１７は挿入されることはほとんどない。つまり、腰部末端１５から、患者正中線１４―腰部末端１５間隔の１／３の長さの範囲内（図４斜線部）にドレーン１７は挿入される。該部分を、ドレーン挿入部位１６と言うことにする。ドレーン挿入部位１６において、ドレーン１７は体表面から略脊椎１８（図５参照）方向へ挿入される。
【００２４】
体型に応じたサイズの患者用アンダーウエア１は患者の体にフィットしているので、患者用アンダーウエア１と患者１３の体の該当部分とは、略相似関係にある。つまり、患者用アンダーウエア１の、脇線８、正中線１０、及び腰幅１１の位置関係は、患者１３の、腰部末端１５、患者正中線１４、及び左右腰部末端１５間隔（患者正中線１４−腰部末端１５間隔の２倍に相当）の位置関係に、対応する。
【００２５】
従って、患者用アンダーウエア１のスリット５が設けられる位置である、脇線８から正中線１０に向けて腰幅１１長さの１５％の位置は、ドレーン１７の挿入位置である、腰部末端１５から患者正中線１４―腰部末端１５間隔の１／３の長さの位置、言い換えると、左右腰部末端１５間隔（患者正中線１４−腰部末端１５間隔の２倍に相当）の１／６（約１６％）の長さの位置、に略対応すると言える。
【００２６】
図５は、患者が患者用アンダーウエア１を着用したときの、スリット５部の胴体短手方向断面の拡大図である。上述したように、スリット５を閉じた状態では、正中線１０側の前面部２が、脇線８側の後面部３に上方から重なっている。体表面から略脊椎１８方向へ挿入されたドレーン１７は、体内への挿入部から正中線１０方向へ一端延出し、その後前面部２と後面部３とを係止するボタン部材６同士の間から、側臥位方向または下半身方向に延出する。つまり、図５に示されたように、ドレーン１７の挿入部位は、緩やかな曲線形状になり屈曲がないので、腹腔内等に貯留した血液や膿等の体外への排出を円滑に行うことができる。
【００２７】
言い換えると、患者用アンダーウエア１からドレーン１７を取り出す際には、体表面と患者用アンダーウエア１との間で、一度取り出し方向と逆方向にドレーン１７を取り回すことで、穏やかな曲線形状を可能にできる。
【００２８】
従って、スリット５の位置は、ドレーン１７挿入部よりも患者正中線１４側にあることが必要である。ドレーン１７の挿入部位は、ドレーン挿入部位１６（図４参照）に限定されるので、スリット５が脇線８から正中線１０に向けて腰幅１１長さの１５％の位置に設けられていれば、ドレーン１７の取り回しは必然的に上記のような形状になるからである。
【００２９】
図４、及び図５を参照して、具体的には、スリット５は、脇線８から正中線１０に向けて腰幅１１長さの１５％の位置より正中線１０側に、腰部７から脚開口部９に向けて設けられていればよい。
【００３０】
最適には、スリット５は、脇線８から正中線１０に向けて腰幅１１長さの１５％の位置に、腰部７から脚開口部９に向けて設けられていればよい。
【００３１】
本実施形態によれば、ドレーン１７が屈曲せず閉塞しないので、ドレーン内に溜まった血液や膿等が滞留しないので、合併症の誘発、及び創傷治癒の阻害をなすことができる。
【００３２】
また、ドレーン１７の屈曲による閉塞に起因する、ドレーン１７の患者１３の挿入部位からの、滞留した血液や膿などの漏出がなくなり、ガーゼ交換等の処置の回数を軽減することができ、医療現場の作業効率を向上することができる。
【００３３】
また、ドレーン１７が屈曲せず閉塞しないように固定されており、ドレーン１７を挿入したまま患者が寝起きしたり、歩行しても胸腔内、腹腔内等に貯留した血液や膿等の体外への排出を阻害しないので、患者の動作の自由度を大きくすることができる。
【００３４】
また、ドレーン１７が側腹部から出ないので、患者が側臥位になっても体に接触せず痛みがないとともに、ドレーン１７が閉塞することを防止できる。
【産業上の利用可能性】
【００３５】
本発明は、患者用アンダーウエアに関して有用である。
【符号の説明】
【００３６】
１              患者用アンダーウエア
２              前面部
３              後面部
４              伸縮部材
５              スリット
６              ボタン部材
７              腰部
８              脇線
９              脚開口部
１０            正中線
１１            腰幅
１２            股部
１３            患者
１４            患者正中線
１５            腰部末端
１６            ドレーン挿入部位
１７            ドレーン
１８            脊椎
１０１          本体
１０２          ゴム
１０３          マジックテープ（登録商標）
２０１          ボタン
２０２          面ファスナー
２０３          トランクス本体
２０４Ａ        後ろ身頃
２０４Ｂ        前身頃
【図１】
2011256500.tif 000003
【図２】
2011256500.tif 000004
【図３】
2011256500.tif 000005
【図４】
2011256500.tif 000006
【図５】
2011256500.tif 000007
【図６】
2011256500.tif 000008
【図７】
2011256500.tif 000009